(57)【特許請求の範囲】
【請求項１】
頂板部とこれに連なるスカート部とから成るキャップシェルとキャップシェルの内面側に施された密封用ライナーから成り、キャップシェルのスカート部から頂板部を横断して延びている一対のスコアと、該スコアで区画される開封用引き剥し部と、開封開始用のタブとを備えた易開封性ライナー付キャップにおいて、
前記密封用ライナーは、頂板部内に位置してスコアよりも大径の中央部ライナーと頂板部外周部を覆うリング状ライナーから成り、且つリング状ライナーはキャップシェルに強固に接着されていると共に、中央部ライナーは比較的硬質の樹脂から成り且つ少なくともタブ近傍においてキャップシェルと強接着され、リング状ライナー及び中央部ライナーがキャップ内面に保持されており、少なくとも中央部ライナー外周端とスコアに挟まれた部分のライナーはキャップシェルに非接着または弱接着であることを特徴とする易開封性ライナー付キャップ。
【請求項２】
前記リング状ライナーは、該中央部ライナーの外縁を覆い、且つ頂板部外周部からスカート部上部まで覆う比較的軟質の樹脂から成り、該リング状ライナーはキャップシェルと直接接触する部分においては強接着であるが、中央部ライナーと接触する部分においては非接着乃至弱接着である請求項１記載のキャップ。
【請求項３】
前記中央部ライナーには環状突起が設けられ、この環状突起位置にリング状ライナーの内縁が位置している請求項２記載のキャップ。
【発明の詳細な説明】
【０００１】
【産業上の利用分野】
本発明は、引裂き取り型の易開封性ライナー付キャップに関し、より詳細には、開封の際に内容物をこぼすようなことがなく、開封用タブを持ち上げるだけで確実にキャップ全体を取外すことができるキャップに関する。
【０００２】
【従来の技術】
ガラス瓶等の容器の口部に施されるキャップにおいて、栓抜き等の開封のための道具を用いることなくその取外しをすることができるキャップが従来より広く使用されている。これらのキャップはキャップシェルの頂板乃至はこれに連なるスカート部にスコアを設け、このスコアで引き剥し部分を区画し、この引き剥し部分の開封開始部に設けた把持部を指で引っ張ることによりスコアを破断し、開封を行うものである。
【０００３】
この種のキャップにおいても種々の提案がなされている。例えば、特公昭５９−２０５５３号公報には、キャップのスカート部が巻き締められた状態で容器口部に固定され、キャップシェルには２本の強度劣化線（スコア）が、蓋の上部壁面の境界に沿って且つ境界からわずかに離間して壁面の外周を取囲むように設けられ、この強度劣化線を被覆するようにリング状の密封体が設けられている容器蓋が記載されている。
【０００４】
このキャップにおいては、開封に際して開封用タブを引っ張ることによりタブの付け根からスコアが破断されて、スコアによって区画されるキャップシェル頂板部中央が上方に持ち上げられることにより容易に開封されるものであり、密封体は引裂かれてその一部が持ち上げられたキャップシェルと共に上方に持ち上げられる。
【０００５】
【発明が解決しようとする課題】
しかしながら、このキャップにおいては、開封用タブを引き上げるだけで開栓具を用いることなく開封し得るという目的は達成し得るものの、開封時の金属の破断及び接着破壊による衝撃によって内容物をこぼしてしまうおそれがある。
一般にキャップスカート部は密封性を確保するため、容器口部に強固に巻き締められており、開封用タブを引き上げてスコアを破断し、最後にスカート部を容器口部から完全に取り外す際にその取り外し操作の衝撃によって内容物をこぼす可能性が高いので、開封用タブの引き上げ操作のみで簡単にキャップが完全に取り外すことができるものが要望されている。
【０００６】
また、キャップを容器口部から衝撃を与えることなく取り外すことを可能にしたものとして、密封用シールがスコアの内周側でキャップシェルに接着され、中心頂壁を持ち上げてスコアを破断すると、シールがキャップシェルスカート部の下から滑脱し、スカート部をゆるめて開栓性を改善したキャップが提案されている（特公平４−３６９４４号公報）。このキャップは従来品に比してかなり開封時の衝撃を緩和することができる点で満足し得るものではあるが、このキャップにおいては、シール部をスカート部と容器口部の間から滑脱して、スカート部と容器口部の間に隙間を設けてスカート部の拘束力を緩和させ、スカート部の取り外しを要旨にしたものであるため、依然として隙間が形成される以外はスカート部は開封前の状態にあるため、スカート部は開封用タブの引き上げだけでは未だ容易に取り外しすることができず、開封用タブの引き上げ操作のみでキャップ全体を更に容易に容器口部から取り外せるものが要望されている。
【０００７】
従って、本発明の目的は、開封用タブを引き上げスコアを破断していくだけで、キャップ全体が容易に容器口部から取り外すことができ、また取り外すに際して衝撃を与えることが少ないので、内容物をこぼすこともなく、容器口部に巻き締められたキャップスカート部も容器口部から容易に取り外すことが可能なキャップを提供するにある。
本発明の他の目的は、広口瓶においても密封性を確保しつつ、開封の容易なキャップを提供するにある。
【０００８】
【課題を解決するための手段】
本発明によれば、頂板部とこれに連なるスカート部とから成るキャップシェルとキャップシェルの内面側に施された密封用ライナーから成り、キャップシェルのスカート部から頂板部を横断して延びている一対のスコアと、該スコアで区画される開封用引き剥し部と、開封開始用のタブとを備えた易開封性ライナー付キャップにおいて、前記密封用ライナーは、頂板部内に位置してスコアよりも大径の中央部ライナーと頂板部外周部を覆うリング状ライナーから成り、且つリング状ライナーはキャップシェルに強固に接着されていると共に、中央部ライナーは比較的硬質の樹脂から成り且つ少なくともタブ近傍においてキャップシェルと強接着され、リング状ライナー及び中央部ライナーがキャップ内面に保持されており、少なくとも中央部ライナー外周端とスコアに挟まれた部分のライナーはキャップシェルに非接着または弱接着であることを特徴とする易開封性ライナー付キャップを提供するにある。
【０００９】
【作用】
本発明の易開封性ライナー付キャップにおいては、キャップシェルのスコアで区画される引き剥し部に連なる開封用タブを上方に持ち上げると、引き剥し部が上方に持ち上がり、これに伴って引き剥し部に強接着された中央部ライナーが上方に持ち上がる。この中央部ライナーは引き剥し部を区画するスコアよりも大径であるので、中央部ライナーの周縁は、中央部ライナーが上方に移動する際にキャップシェルの外周部分（スコアより外側の頂板部及びスカート部）の内側端部を上方に押し上げるように作用し、その結果としてキャップシェルの外周部分は外側に押し広げられ、容器口部から容易に取り外しができるようになるのである。このため開封用タブの上方への持ち上げ操作に伴って容器口部から一緒に取り外されるのである。
【００１０】
また、本発明においては、引き剥し部の上方への移動に伴って中央部ライナーの周縁の上方への力がキャップの外周部分に作用することにより、この外周部分を容器口部から取り外し易くしたものであるため、キャップの径が大きくなるほど外周部分が容器口部を拘束する力も弱くなって、容器口部から外れやすくなるので、広口の瓶に好適に用いることが可能である。
【００１１】
更に、キャップシェルの内面に設ける密封ライナーを、円形状の中央部ライナーとリング状ライナーから構成し、これらを中央部ライナーがキャップシェル側となるようにオーバーラップさせてキャップシェル内面に設け、中央部ライナーとリング状ライナーのオーバーラップ部分を非接着とし、リング状ライナーとキャップシェルの間を強接着とすることにより、中央部ライナーには比較的硬質の樹脂を、またリング状ライナーには比較的軟質の樹脂というように異なる素材でライナーを形成することができ、高い密封性を維持しながら上記作用効果を効率よく発現することができるのである。すなわち、中央部ライナーは外周部分を押し広げるという点から硬質であることが好ましく、リング状ライナーは容器口部が当接する部分であり、密封性能を高めるには軟質であることが好ましいのである。
【００１２】
【実施例】
本発明を添付図面に基づいて説明する。
図１は、本発明のキャップの一例の容器口部に巻締める前の展開図を示すものであり、また図２は、本発明のキャップの一例が容器口部Ｂに巻締られた状態を示す側面図（一部側断面図）である。
全体を１で表わす本発明のキャップは、キャップシェル２、中央部ライナー及びリング状ライナーから成る密封用ライナー３から成り、キャップシェル２は頂板部４及びスカート部５から成る。キャップシェル２には、スカート部５から一体的に開封用タブ６が設けられている。またこの開封用タブ６のスカート部の付け根には、スリット７ａ，７ｂが設けられ、このスリット７ａ，７ｂからスコア８ａ，８ｂがスカート部５から頂板部４に連なってキャップシェル２に設けられている。
【００１３】
図１にハッチングを施して示す部分は、ライナーがキャップシェルに強接着されている強接着部分９である。スカート部５及びスコアより外側の頂板部から成る外周部分１０、及びスコア８ａ及びスコア８ｂで区画される引き剥し部１１の剥離方向に指向する部分に強接着部分９は形成されており、他の部分においてライナーはキャップシェルに非接着であるか、若しくは弱接着の状態にある。
本発明においてはライナー３はキャップシェル２の頂板部内面全面に設けられていればよいが、ライナーからの外側の力をキャップシェルにも十分作用するためにはスカート部５の上部に至るまで施されていることが特に好ましい。
【００１４】
図３は、キャップの要部断面の拡大図である。密封用ライナーは、前述した通り中央部ライナー１２及びその外側に位置するリング状ライナー１３からなっている。中央部ライナー１２は頂板部内に位置し、且つスコア８よりも大径であり、リング状ライナー１３は容器口部先端を覆うように、それぞれキャップシェルに接着されているが、中央部ライナー１２のスコア８よりも外側に位置する部分（以下、外周部という）１４は非接着または弱接着になっている。引き剥し部（図示せず）が上方に持ち上げられると、中央部ライナー１２によって外周部分１０の内周側には上方に向く力が作用する（矢印Ｘ）。このＸ方向の力は引き剥し部の持ち上げが更に進むと外側に向く力（矢印Ｙ）となって外周部分を外側に押し広げるように作用する。このため、外周部分は容器口部から外れ易い状態になって、引き剥し部を持ち上げていくだけで最終的には外周部分まで、自然に容器口部から外れるのである。
【００１５】
図４は、キャップの開封途中の状態を示す斜視図である。
開封用タブ６が上方に持ち上げられると、スコア８が破断しキャップシェルの引き剥し部１１と外周部分１０が分離されつつある。この際、リング状ライナー１３の引き剥し部に対応する部分１３ａは切断される。また中央部ライナー１２は引き剥し部１１に追従して上方に移動するため、中央部ライナー１２の外周部１４が外周部分１０の内周側端部を上方に押し上げ、これにより外周部分１０は容器の半径方向外側に押し広げられるようになっている。
【００１６】
更に、図５に示すように、密封ライナーを円形状の中央部ライナー１２とリング状ライナー１３を、中央部ライナー１２の外縁とリング状ライナー１３の内周縁がオーバーラップするようにし、オーバーラップ部１５において中央部ライナー１２がキャップシェル側となるように形成してもよい。オーバーラップ部１５において、中央部ライナー１２はキャップシェル２の内面及びリング状ライナー１３と非接着乃至弱接着であり、またリング状ライナーがキャップシェルと直接接触する部分１６を強接着とする。
これにより引き剥し部が上方に移動した場合に中央部ライナー１２には外側に向く力が作用し、これによって中央部ライナー１２の外周端１７が外周部分を外側に押出すようにするため、外周部分がより外れやすくなるのである。
【００１７】
本発明においては、中央部ライナーがある程度の固さを有するものであれば従来キャップのライナー材に使用されているものはすべて使用することができるが、好適には、中央部は外周部分を押し広げるという点から硬質の樹脂から成り、リング状ライナーは容器口部が当接する部分であることから、密封性能を高めるべく軟質の樹脂から成るものであることが特に好ましい。この場合には、中央部ライナーには、硬質ポリエチレン、ポリプロピレン等が、またリング状ライナーには塩化ビニル等を用いることができる。
【００１８】
これらのライナーは、一体的に成形したものをキャップ内で分割させてもよいし、また中央部ライナー、リング状ライナーをそれぞれ別個に成形することもできる。
前者の場合の成形方法としては、キャップシェル内に樹脂のペレットを置き、これを圧縮成形することによりライナーを形成し、これを分離させることによりして成形できる。
また後者の場合の成形方法としては、中央ライナーを硬質ポリエチレン、ポリプロピレン等の硬質の樹脂から成る樹脂板を貼り付け、または圧縮成形により形成し、次いでリング状ライナーをポリ塩化ビニル等の軟質樹脂のプラスチゾル、特に発泡塩化ビニル樹脂をスピンライニング法によって成形することができる。この際、図５に示すように中央部ライナー１２に環状突起１８を設けることが好ましい。この環状突起１８は、リング状ライナー形成のためのスピンライニング時にライナー材の樹脂の流れ止めの役割を有している。
中央部ライナーとリング状ライナーを異なる素材で形成すると、高い密封性能を得ることができ、且つ上記作用効果を更に効率よく発現することができるのである。
【００１９】
引き剥し部１１の強接着部分は、少なくとも開封用タブ近傍においてキャップシェルと強接着されている限り、図１に示したものに限定されず、種々の形態を採用することができる。
例えば、キャップの展開図を示す図６及び図７において、図６に示すように引き剥し部１１のすべてを強接着としたものや、図７に示すように引き剥し部１１に非連続的に何点か強接着部９を設けたものでもよい（図６及び図７において、ハッチングを施した部分が強接着部である）。
非接着部分及び強接着部分の成形は、予めキャップシェル内面に接着剤を塗布しておき、非接着部分となる部分にマスキングをするか、または強接着部分となる部分にのみ接着剤を塗布することによって容易に形成することができる。
強接着部分を形成するための塗料は、ライナーの種類によっても相違するが、例えばオレフィン系樹脂ライナーの場合は、酸化ポリオレフィン、酸変性ポリオレフィン或いはこれらを前記塗料樹脂に配合した塗料が使用される。また塩化ビニル系樹脂の場合には塩化ビニル系塗料或いはアクリル系塗料が使用される。
【００２０】
容器蓋キャップシェルを形成する金属素材としては、シート状乃至は箔状のアルミニウム等の軽金属、表面未処理鋼（ブラックプレート）、表面処理鋼等が使用される。表面処理鋼としては、鋼基質上にリン酸処理、クロム酸処理等の化学処理：電解クロム酸処理等の化成処理；電解スズメッキ、電解亜鉛メッキ、電解クロムメッキ等の電解メッキ処理：溶融錫メッキ処理等の溶融メッキ処理を行ったものが挙げられる。これらの材料からプレス成形等によってキャップシェルを成形することができる。
【００２１】
【発明の効果】
本発明によれば、頂板部に位置しスコアよりも大径の中央部ライナーと頂板部外周部を覆うリング状ライナーから成り、且つリング状ライナー及び中央部ライナーをキャップシェルに強固に接着してキャップ内面に保持し、少なくとも中央部ライナー外周端とスコアに挟まれた部分のライナーをキャップシェルに非接着または弱接着とすることにより、開封用タブを引き上げスコアを破断していくだけで、キャップ全体が容易に容器口部から取り外すことができ、内容物をこぼすことなく、容器口部に巻き締められた外周部分（キャップスカート部及びスコアより外側の頂板部）も容器口部から容易に取り外すことが可能となった。
また、広口瓶においても密封性を確保しつつ、開封の容易なキャップを提供することができた。
【図面の簡単な説明】
【図１】本発明のキャップの一例が容器口部に巻締められる前の展開図を示す。
【図２】本発明のキャップの一例が容器口部に巻締られた状態を示す側面図である。
【図３】開封時のライナーの作用を説明するための要部断面図である。
【図４】開封途中の本発明のキャップの一例を示す斜視図である。
【図５】本発明のキャップの別の一例を示す要部断面図である。
【図６】ライナーの強接着域の別の態様を示す展開図である。
【図７】ライナーの強接着域の別の態様を示す展開図である。
【符合の説明】
１    キャップ
２    キャップシェル
３    ライナー
４    頂板部
５    スカート部
７    スリット
８    スコア
９    強接着部分
１０  外周部分
１１  引き剥し部
１２  中央部ライナー
１３  リング状ライナー
１４  中央部ライナー外周部
１７  中央部ライナー外周端
【図１】
0003637107.tif 000002
【図２】
0003637107.tif 000003
【図３】
0003637107.tif 000004
【図４】
0003637107.tif 000005
【図５】
0003637107.tif 000006
【図６】
0003637107.tif 000007
【図７】
0003637107.tif 000008